(57)【要約】【課題】消臭効果の持続性が高い紙管及び当該紙管を使用したロール状シートを提供する。【解決手段】ロール状シートとしてのロール状トイレットペーパー１０の芯となる紙管３０に、所定の荷重が付与された際に破裂する、揮発性の芳香物質及び／又は消臭物質が内包されたマイクロカプセル６０を混入した。【選択図】図２
2009242065.tif 000002
【特許請求の範囲】
【請求項１】
ロール状シートの芯となる紙管において、
揮発性の芳香物質及び／又は消臭物質を内包するマイクロカプセルが混入され、
前記マイクロカプセルは、所定の荷重が付与された際に破裂することを特徴とする紙管。
【請求項２】
請求項１に記載の紙管において、
複数枚の紙管原紙を重ね合わせて接着剤で貼り合わせることにより形成され、
前記マイクロカプセルは、前記接着剤に混入されていることを特徴とする紙管。
【請求項３】
請求項２に記載の紙管において、
前記紙管原紙１層の厚みは、１００μｍ〜５００μｍであることを特徴とする紙管。
【請求項４】
請求項１〜３の何れか一項に記載の紙管において、
前記マイクロカプセルの平均粒径は、０．１μｍ〜５０μｍであることを特徴とする紙管。
【請求項５】
請求項１〜４の何れか一項に記載の紙管と、
前記紙管を芯として捲回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
従来、トイレ周りを消臭する方法として、芳香剤や消臭剤を収容した容器をトイレ周りに設置する方法の他に、ロール状トイレットペーパーに消臭効果を持たせる方法が知られている。
ロール状トイレットペーパーに消臭効果を持たせる方法としては、例えば、ロール状トイレットペーパーの芯となる紙管に香料を塗布する方法や、複数枚の紙を重ね合わせて接着剤で貼り合わせた紙管において当該接着剤に香料を含有させる方法などが知られている（例えば、特許文献１参照）。
【特許文献１】特開平１１−１９７０５４号公報
【発明の開示】
【発明が解決しようとする課題】
【０００３】
しかしながら、紙管に香料を塗布する方法は、香料が発散しやすく、また、香料が常時発散しているため、消臭効果が持続しないという問題がある。
また、接着剤に香料を含有させる方法は、紙管に香料を塗布する方法と比較して、香料の発散を抑えることはできるものの、香料が常時発散するのを抑えることはできないため、消臭効果が持続しないという問題を十分に解決することはできない。
【０００４】
本発明の課題は、消臭効果の持続性が高い紙管及び当該紙管を使用したロール状シートを提供することにある。
【課題を解決するための手段】
【０００５】
上記課題を解決するために、請求項１に記載の発明は、
ロール状シートの芯となる紙管において、
揮発性の芳香物質及び／又は消臭物質を内包するマイクロカプセルが混入され、
前記マイクロカプセルは、所定の荷重が付与された際に破裂することを特徴とする。
【０００６】
請求項２に記載の発明は、
請求項１に記載の紙管において、
複数枚の紙管原紙を重ね合わせて接着剤で貼り合わせることにより形成され、
前記マイクロカプセルは、前記接着剤に混入されていることを特徴とする。
【０００７】
請求項３に記載の発明は、
請求項２に記載の紙管において、
前記紙管原紙１層の厚みは、１００μｍ〜５００μｍであることを特徴とする。
【０００８】
請求項４に記載の発明は、
請求項１〜３の何れか一項に記載の紙管において、
前記マイクロカプセルの平均粒径は、０．１μｍ〜５０μｍであることを特徴とする。ここで、「平均粒径」とは、粉状または粒状である原料物質の各粒子の粒径を平均した値をいうが、全原料物質を母集団とする統計指標としての平均を意味することは勿論である。つまり、母集団（全原料物質）から適当なサンプル（各粒子）を抽出し、このサンプルの粒径を測定して算術平均した値を「平均粒径」とする。統計的手法により求める値であるから測定ごとに値が変動する可能性があることはいうまでもない。
【０００９】
請求項５に記載の発明は、
ロール状シートにおいて、
請求項１〜４の何れか一項に記載の紙管と、
前記紙管を芯として捲回されたシートと、を備えることを特徴とする。
【発明の効果】
【００１０】
請求項１に記載の発明によれば、揮発性の芳香物質及び／又は消臭物質を内包するマイクロカプセルが混入され、マイクロカプセルは、所定の荷重が付与された際に破裂するようになっている。
すなわち、ロール状シートからシートが引き出される際など、マイクロカプセルに所定の荷重が付与された際にのみ、芳香物質や消臭物質が発散するため、消臭効果の持続性が高い。
【００１１】
請求項２に記載の発明によれば、請求項１に記載の発明と同様の効果が得られることは無論のこと、複数枚の紙管原紙を重ね合わせて接着剤で貼り合わせることにより形成され、マイクロカプセルは、接着剤に混入されている。
したがって、紙管原紙や接着剤がクッションとなって、荷重が付与された際に全てのマイクロカプセルが破裂するのを抑えることができるため、消臭効果の持続性をより向上させることができる。また、シートを使い終わった後も破裂していないマイクロカプセルが残る場合には、シートを使い終わった後、紙管を潰し、残ったマイクロカプセルを破裂させて、ゴミ箱等に捨てると、ゴミ箱等の中や周辺の消臭も行うことができる。
【００１２】
請求項３に記載の発明によれば、請求項２に記載の発明と同様の効果が得られることは無論のこと、紙管原紙１層の厚みは、１００μｍ〜５００μｍである。
したがって、紙管原紙が十分なクッション作用を持つとともに、マイクロカプセルが破裂した際、そのマイクロカプセルに内包されていた芳香物質や消臭物質が、紙管内部に閉じ込められることなく、確実に紙管外部に発散するため、好適である。
【００１３】
請求項４に記載の発明によれば、請求項１〜３の何れか一項に記載の発明と同様の効果が得られることは無論のこと、マイクロカプセルの平均粒径は、０．１μｍ〜５０μｍである。
したがって、マイクロカプセルを混入させる際に、マイクロカプセルがつぶれにくいため、消臭効果の持続性をより向上させることができる。
【００１４】
請求項５に記載の発明によれば、請求項１〜４の何れか一項に記載の紙管と、紙管を芯として捲回されたシートと、を備えているため、請求項１〜４の何れか一項に記載の発明と同様の効果が得られることができる。
【発明を実施するための最良の形態】
【００１５】
以下、図を参照して、本発明にかかる紙管及び当該紙管を使用したロール状シートの最良の形態を詳細に説明する。なお、発明の範囲は、図示例に限定されない。
本実施の形態では、シートとしてトイレットペーパーを例示して、ロール状シートとしてロール状トイレットペーパーを例示して、説明することとする。
【００１６】
＜ロール状トイレットペーパー＞
ロール状トイレットペーパー１０は、例えば、図１に示すように、紙管３０と、紙管３０を芯として捲回されたトイレットペーパー２０と、などを備えて構成される。
【００１７】
＜紙管＞
紙管３０は、例えば、図１及び図２（ａ）に示すように、略中空円筒形状をなしている。
具体的には、紙管３０は、例えば、図２に示すように、２枚の紙管原紙４０を重ね合わせて接着剤５０で貼り合わせることにより形成されている。
【００１８】
接着剤５０は、例えば、複数枚の紙管原紙４０を貼り合わせるためのラミネート糊であり、揮発性の芳香物質及び／又は消臭物質を内包するマイクロカプセル６０が混入されている。
接着剤５０は、複数の紙管原紙４０を貼り合わせることができるのであれば任意であるが、マイクロカプセル６０の材質によって適宜最適なものを選択するのが好ましい。具体的には、接着剤５０は、例えば、マイクロカプセル６０が油溶性カプセルであれば水性接着剤が好ましく、マイクロカプセル６０が水溶性カプセルであれば油性接着剤が好ましい。
【００１９】
接着剤５０に対するマイクロカプセル６０の混入量は、マイクロカプセル６０に内包される揮発性の芳香物質及び／又は消臭物質の種類（消臭効果）等によって異なるが、接着剤５０に混入可能な量であれば任意であり、混入しやすさや接着剤５０の接着性などの観点から、接着剤５０に対して２０重量％以下とするのが好ましい。
マイクロカプセル６０の平均粒径（平均直径）は、接着剤５０に混入可能な大きさであれば任意であるが、混入しやすさや消臭効果、マイクロカプセル６０が混入された接着剤５０をローラ等で紙管原紙４０に塗布する際につぶれにくいなどの観点から、０．１μｍ〜５０μｍが好ましい。５０μｍを超えると、接着剤５０（ラミネート糊）を塗布する際にマイクロカプセル６０の破裂が起こりやすくなる。また、０．１μｍ未満の極小のマイクロカプセル６０では、０．１μｍ以上のマイクロカプセル６０と同量のカプセル量（混入量）であっても、相対的に香料（消臭物質）も割合が減少するため好ましくない。
【００２０】
ここで、マイクロカプセル６０は、所定の荷重が付与された際に破裂するようになっている。すなわち、マイクロカプセル６０は、所定の閾値を超える荷重が付与された際に破裂するようになっている。
例えば、図３に示すように、ロール状トイレットペーパー１０をトイレットペーパーホルダーの保持棒Ｑで保持した状態でトイレットペーパー２０を引き出すと、紙管３０と保持棒Ｑとが接触して、紙管３０における保持棒Ｑが接触した部分にあるマイクロカプセル６０に対し荷重が付与されることになる。そして、このとき、保持棒Ｑが接触した部分にあるマイクロカプセル６０のうちの、所定の閾値を超える荷重が付与されたマイクロカプセル６０が破裂する。
ユーザがトイレットペーパー２０を引き出す力は、一般に、平均値が約３０ｇｆで、ばらつきの範囲が１１ｇｆ〜５５ｇｆである。したがって、接着剤５０に混入された状態でのマイクロカプセル６０の破裂強度は、トイレットペーパー２０が引き出される際に破裂するとともに、トイレットペーパー２０を引き出す力が一般的な範囲内で破裂するのが好ましく、具体的には、１０ｇｆ〜３０ｇｆ程度が好ましい。１０ｇｆ未満で簡単に破壊できるマイクロカプセル６０の場合、接着剤５０（ラミネート糊）に混ぜて塗布する際に破裂が生じやすくなり、また、３０ｇｆを超えると、破裂しにくくなる。
【００２１】
マイクロカプセル６０に内包される揮発性の芳香物質としては、芳香を有する揮発性の物質であれば任意であるが、揮発しやすさなどの観点から、香りのピラミッドでトップノートに分類される揮発性の高い香料が好ましい。
ここで、香りのピラミッドとは、香料を揮発度によって、トップノート、ミドルノート及びベースノート（ラストノート）の３つに分類する手法である。具体的には、保留性が小さく揮発度の高い香料はトップノートに属し、中間の揮発度と保留性を持つ香料はミドルノートに属し、揮発度が低く保留性の大きい香料はベースノートに属する。
また、マイクロカプセル６０に内包される揮発性の消臭物質としては、臭い成分を分解、中和、吸着等して除去できる揮発性の物質であれば任意である。
【００２２】
マイクロカプセル６０に内包される揮発性の消臭物質としては、消臭作用のある揮発性の物質であれば任意であり、具体的には、例えば、緑茶等より抽出されたフラボノイド系化合物を含有する消臭物質、オオバコ、ムジナオオバコ、ヘラオオバコの中から選択された少なくとも一種以上のオオバコ科植物の全草抽出物を含有する消臭物質、マメ科クララ属植物に含まれる消臭作用を有する成分を有効成分とする消臭物質、ひのき油や、ひば油、杉油、芳油、樟脳油などを構成成分とする消臭物質等である。
【００２３】
紙管原紙４０の厚み（１層（１枚）の厚み）は、紙管原紙４０を貼り合わせて形成された紙管３０がロール状トイレットペーパー１０の芯として使用でき、かつ、トイレットペーパー２０が引き出される際、保持棒Ｑが接触した部分にあるマイクロカプセル６０の全てが破裂しないよう、紙管原紙４０がクッションとして作用するとともに、マイクロカプセル６０が破裂した際、そのマイクロカプセル６０に内包されていた芳香物質や消臭物質が直ちに紙管３０外部に発散する厚みが好ましく、具体的には、１００μｍ〜５００μｍが好ましい。１層の厚みが１００μｍ未満の紙管原紙４０の場合、紙管３０としての強度不足が生じ、５００μｍを超えると、香り（消臭効果）が発揮されにくくなる。
【００２４】
紙管３０におけるマイクロカプセル６０が混入された接着剤５０の厚み（紙管原紙４０に塗布された接着剤５０の厚み）は、紙管原紙４０，４０を貼り合わせることができ、かつ、トイレットペーパー２０が引き出される際、保持棒Ｑが接触した部分にあるマイクロカプセル６０の全てが破裂しないよう、接着剤５０がクッションとして作用するとともに、マイクロカプセル６０が破裂した際、そのマイクロカプセル６０に内包されていた芳香物質や消臭物質が直ちに紙管３０の外部に発散する厚みが好ましく、具体的には、マイクロカプセル６０の直径より大きいのが好ましい。
【００２５】
紙管３０の厚みは、紙管３０がロール状トイレットペーパー１０の芯として使用できるのであれば任意であるが、例えば、紙管３０が２層の紙管原紙４０（２枚の紙管原紙４０）で形成されている場合、２００μｍ〜１０００μｍが好ましく、４００μｍ〜６００μｍがより好ましく、４５０μｍ程度が最も好ましい。
なお、紙管３０を形成する各紙管原紙４０の厚みは、同一であっても良いし、それぞれ異なっていても良い。
【００２６】
＜実施例＞
以下に、具体的な実施例によって本発明を更に詳細に説明するが、本発明はこれらに限定されるものではない。
【００２７】
＜実施例１＞
まず、２枚の紙管原紙４０を重ね合わせて、揮発性の芳香物質を内包するマイクロカプセル６０が混入された接着剤５０で貼り合わせることによって、紙管３０を形成した。
ここで、紙管原紙４０の１層（１枚）の厚みを、８０μｍ、１１０μｍ、２００μｍ、４８０μｍ、５８０μｍ、６２０μｍとし、それぞれについて紙管３０を形成した。
また、マイクロカプセル６０の平均粒径を２０μｍとし、揮発性の香料物質として香りのピラミッドでトップノートに属する香料を採用し、接着剤５０に対して１０重量％のマイクロカプセル６０を混入した。
次に、紙管３０にトイレットペーパー２０を捲回して、ロール状トイレットペーパー１０を形成した。
そして、保持棒Ｑでロール状トイレットペーパー１０を保持して、トイレットペーパー２０を引き出すことによって、揮発性の芳香物質に由来する香りが発生するか（消臭効果があるか）否かを確認した。その結果を図４に示す。
【００２８】
ここで、図４の「○」は“消臭効果が確認できた”を示し、「△」は“消臭効果があまり確認できなかった”を示し、「×」は“消臭効果がほとんど確認できなかった”を示す。
図４に示すように、１層の厚みが８０μｍの紙管原紙４０を２枚重ねて形成した紙管３０と、１層の厚みが１１０μｍの紙管原紙４０を２枚重ねて形成した紙管３０と、１層の厚みが２００μｍの紙管原紙４０を２枚重ねて形成した紙管３０と、１層の厚みが４８０μｍの紙管原紙４０を２枚重ねて形成した紙管３０と、については、トイレットペーパーを引き出すと、揮発性の芳香物質に由来する香りが発生し、消臭効果が確認できた。ただし、１層の厚みが８０μｍの紙管原紙４０を２枚重ねて形成した紙管３０については、消臭効果はあるものの、紙管３０として使用できる程度の十分な強度が保てないことが分かった。
また、１層の厚みが５８０μｍの紙管原紙４０を２枚重ねて形成した紙管３０については、トイレットペーパーを引き出しても、揮発性の芳香物質に由来する香りがあまり発生せず、消臭効果があまり確認できなかった。
また、１層の厚みが６２０μｍの紙管原紙４０を２枚重ねて形成した紙管３０については、トイレットペーパーを引き出しても、揮発性の芳香物質に由来する香りがほとんど発生せず、消臭効果がほとんど確認できなかった。
【００２９】
また、図４で「○」の評価を得た紙管３０について、トイレットペーパー２０を使い終わった後に紙管３０を握りつぶすことによって、揮発性の芳香物質に由来する香りが発生することを確認した。
また、図４で「○」の評価を得た紙管３０について、トイレットペーパー２０を使い終わった後に紙管３０を握りつぶし、蓋付きのゴミ箱に捨てることによって、揮発性の芳香物質に由来する香りにより当該ゴミ箱内を消臭できることを確認した。
【００３０】
＜実施例２＞
まず、２枚の紙管原紙４０を重ね合わせて、揮発性の芳香物質を内包するマイクロカプセル６０が混入された接着剤５０で貼り合わせることによって、紙管３０を形成した。
ここで、マイクロカプセル６０の平均粒径を、０．０５μｍ、１０μｍ、２０μｍ、５０μｍ、６５μｍとし、それぞれについて紙管３０を形成した。
また、紙管原紙４０の１層（１枚）の厚みを２００μｍとし、揮発性の香料物質として香りのピラミッドでトップノートに属する香料を採用し、接着剤５０に対して１０重量％のマイクロカプセル６０を混入した。
次に、紙管３０にトイレットペーパー２０を捲回して、ロール状トイレットペーパー１０を形成した。
そして、ロール状トイレットペーパー１０の形成時にマイクロカプセル６０が破裂するか否かを確認するとともに、保持棒Ｑでロール状トイレットペーパー１０を保持して、トイレットペーパー２０を引き出すことによって、揮発性の芳香物質に由来する香りが発生するか（消臭効果があるか）否かを確認した。その結果を図５に示す。
【００３１】
ここで、図５の「○」は“ロール状トイレットペーパー１０の形成時にマイクロカプセル６０が破裂せず、かつ、消臭効果が確認できた”を示し、「△」は“ロール状トイレットペーパー１０の形成時にマイクロカプセル６０が破裂しなかったが、消臭効果があまり確認できなかった”を示し、「×」は“ロール状トイレットペーパー１０の形成時にマイクロカプセル６０が破裂した”を示す。
図５に示すように、マイクロカプセル６０の平均粒径が０．０５μｍである紙管３０については、ロール状トイレットペーパー１０の形成時にマイクロカプセル６０は破裂しなかったが、トイレットペーパーを引き出しても、揮発性の芳香物質に由来する香りがあまり発生せず、消臭効果があまり確認できなかった。
また、マイクロカプセル６０の平均粒径が１０μｍである紙管３０と、マイクロカプセル６０の平均粒径が２０μｍである紙管３０と、マイクロカプセル６０の平均粒径が５０μｍである紙管３０と、については、ロール状トイレットペーパー１０の形成時にマイクロカプセル６０が破裂せず、かつ、トイレットペーパーを引き出すと、揮発性の芳香物質に由来する香りが発生し、消臭効果が確認できた。
また、マイクロカプセル６０の平均粒径が６５μｍである紙管３０については、ロール状トイレットペーパー１０の形成時に（例えば、マイクロカプセル６０を接着剤５０に混ぜて塗布する際などに）、マイクロカプセル６０が破裂することが分かった。
【００３２】
また、図５で「○」の評価を得た紙管３０について、トイレットペーパー２０を使い終わった後に紙管３０を握りつぶすことによって、揮発性の芳香物質に由来する香りが発生することを確認した。
また、図５で「○」の評価を得た紙管３０について、トイレットペーパー２０を使い終わった後に紙管２０を握りつぶし、蓋付きのゴミ箱に捨てることによって、揮発性の芳香物質に由来する香りにより当該ゴミ箱内を消臭できることを確認した。
【００３３】
＜実施例３＞
マイクロカプセル６０に内包する物質を揮発性の消臭物質に代えて、実施例１や実施例２と同様の方法で紙管３０を形成した。
ここで、紙管原紙４０の１層の厚みを２００μｍとし、マイクロカプセル６０の平均粒径を２０μｍとした。
【００３４】
そして、保持棒Ｑでロール状トイレットペーパー１０を保持して、トイレットペーパー２０を引き出すことによって、揮発性の消臭物質に由来する消臭効果が得られることを確認した。
また、トイレットペーパー２０を使い終わった後に紙管２０を握りつぶすことによって、揮発性の消臭物質に由来する消臭効果が得られることを確認した。
また、トイレットペーパー２０を使い終わった後に紙管２０を握りつぶし、蓋付きのゴミ箱に捨てることによって、揮発性の消臭物質に由来する消臭効果により当該ゴミ箱内を消臭できることを確認した。
【００３５】
以上説明した本発明の紙管３０及び紙管３０を使用したロール状トイレットペーパー１０によれば、紙管３０には揮発性の芳香物質及び／又は消臭物質を内包するマイクロカプセル６０が混入され、マイクロカプセル６０は、所定の荷重が付与された際に破裂するようになっている。
すなわち、ロール状トイレットペーパー１０からトイレットペーパー２０が引き出される際など、マイクロカプセル６０に所定の荷重が付与された際にのみ、芳香物質や消臭物質が発散するため、消臭効果の持続性が高い。
【００３６】
また、紙管３０は、２枚の紙管原紙４０を重ね合わせて接着剤５０で貼り合わせることにより形成され、マイクロカプセル６０は、接着剤５０に混入されている。
したがって、紙管原紙４０や接着剤５０がクッションとなって、荷重が付与された際に全てのマイクロカプセル６０が破裂するのを抑えることができるため、消臭効果の持続性をより向上させることができる。また、トイレットペーパー２０を使い終わった後も破裂していないマイクロカプセル６０が残る場合には、トイレットペーパー２０を使い終わった後、紙管３０を潰し、残ったマイクロカプセル６０を破裂させて、ゴミ箱等に捨てると、ゴミ箱等の中や周辺の消臭も行うことができる。
【００３７】
また、紙管原紙４０１層の好ましい厚みは、１００μｍ〜５００μｍである。
したがって、紙管原紙４０が十分なクッション作用を持つとともに、マイクロカプセル６０が破裂した際、そのマイクロカプセル６０に内包されていた芳香物質や消臭物質が、紙管３０内部に閉じ込められることなく、確実に紙管３０外部に発散するため、好適である。
【００３８】
また、マイクロカプセル６０の平均粒径は、０．１μｍ〜５０μｍ以下である。
したがって、マイクロカプセル６０が混入した接着剤５０をローラ等で紙管原紙４０に塗布する等して、マイクロカプセル６０を紙管４０に混入させる際に、マイクロカプセル６０がつぶれにくいため、消臭効果の持続性をより向上させることができる。
【００３９】
なお、本発明は、上記した実施の形態のものに限るものではなく、その要旨を逸脱しない範囲で適宜変更可能である。
【００４０】
シートは、紙管３０に捲回可能なシートであれば、トイレットペーパー２０以外のシート（例えば、キッチンペーパーやラップフィルム、アルミフォイルなど）であっても良い。
また、紙管３０は、例えば、３枚以上の紙管原紙４０を重ね合わせて接着剤５０で貼り合わせることにより形成されていても良い。
また、マイクロカプセル６０は、紙管原紙４０に混入されていても良い。
【図面の簡単な説明】
【００４１】
【図１】本発明のロール状トイレットペーパーの斜視図である。
【図２】本発明の紙管の斜視図（ａ）及び断面図（ｂ）である。
【図３】本発明のロール状トイレットペーパーを保持棒で保持して、トイレットペーパーを引き出している状態を示す斜視図（ａ）及び側面図（ｂ）である。
【図４】実施例１での評価結果を示す図である。
【図５】実施例２での評価結果を示す図である。
【符号の説明】
【００４２】
１０  ロール状トイレットペーパー（ロール状シート）
２０  トイレットペーパー（シート）
３０  紙管
４０  紙管原紙
５０  接着剤
６０  マイクロカプセル
【図１】
2009242065.tif 000003
【図２】
2009242065.tif 000004
【図３】
2009242065.tif 000005
【図４】
2009242065.tif 000006
【図５】
2009242065.tif 000007